(57)【要約】【課題】  シンクの前壁部前方に収容空間を設けることができるシンクキャビネットを備えたシステムキッチンを提供すること。【解決手段】  システムキッチンに備わったシンクキャビネットＡに、シンク１５が設けられたカウンター１６を設置するとともに、シンク１５を隠蔽するシンク前板２０を設置した。また、シンク１５の前壁部１５ｅとシンク前板２０を上部よりも下部が後方に位置するように傾斜させた。【選択図】  図２
2018029757.tif 000002
【特許請求の範囲】
【請求項１】
カウンターと、前記カウンターに設けられたシンクと、シンクキャビネットとを備えるシステムキッチンであって、
前記シンクは、前壁部が上部から下部にいくほど後方に傾斜し、
前記シンクキャビネットは前側上部に前記シンクを隠ぺいするシンク前板を備え、
前記シンク前板は下部が上部より後方に位置するように傾斜している
ことを特徴とするシステムキッチン
【請求項２】
前記シンク前板の左右の長さが、前記シンクキャビネットの一対の側板の内面間の距離よりも短くなっているとともに、前記一対の側板の前側上部に支持部材が掛け渡されており、前記シンク前板が前記支持部材に左右方向に位置調節可能に取り付けられている請求項１に記載のシステムキッチン。
【発明の詳細な説明】
【技術分野】
【０００１】
本発明は、シンクの前方にシンクを隠すシンク前板が設けられたシステムキッチンに関する。
【背景技術】
【０００２】
システムキッチンに備わっているシンクキャビネットの中には、引き出しを手前に引き出したときに、シンクが前方から見えないようにするためのシンク前板が設けられたものがある（例えば、特許文献１参照）。このシンクキャビネットは、左右の側板と、左右の側板の後部に設けられた背板と、左右の側板の下部に設けられた底板とからなるキャビネット本体を備えている。そして、キャビネット本体の上部には、シンクが設けられたワークトップ（カウンター）が載置され、キャビネット本体の内部には、前方外部との間でスライド自在になった引き出しが設置されている。
【０００３】
また、左右の側板間の上部前面に正面視でシンクを隠す幕板（シンク前板）が設けられている。この幕板は、シンクの前方で左右に延びる面状の垂直部と、垂直部の左側の端部から後方に延びる垂直面状の後方延設部と、後方延設部の後部上方から左側の側板に向かって延びる水平面状の横方向延設部とからなっており、垂直部の右側の端部に後方に延びる取付部が設けられ、横方向延設部の先端に下方に延びる取付部が設けられている。そして、幕板は、両取付部を左右の側板にねじで固定してキャビネット本体に取り付けられている。
【先行技術文献】
【特許文献】
【０００４】
【特許文献１】特開２０１０−１５４９９０号公報
【発明の概要】
【０００５】
前述したシンクキャビネットの引出しには、種々の物品が収容され、このような物品の中には一升瓶のように高さが高いものがある。また、引出しの前部に設けられている化粧板の裏面にフライパンや包丁などを収容するための収容部が設けられていることもある。このような場合に、それらの高さの高い物品を、上部がシンクの前壁部と引出しの化粧板との間の空間に位置するようにして引出しに収容しようとしても、幕板が邪魔になって収容することができない。
【０００６】
本発明は、前述した問題に対処するためになされたもので、その目的は、シンクの前壁部前方に収容空間を設けることができるシステムキッチンを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るシステムキッチンの構成上の特徴は、カウンター（１６）と、カウンターに設けられたシンク（１５）と、シンクキャビネット（Ａ）とを備えるシステムキッチンであって、シンクは、前壁部（１５ｅ）が上部から下部にいくほど後方に傾斜し、シンクキャビネットは前側上部にシンクを隠ぺいするシンク前板（２０）を備え、シンク前板は下部が上部より後方に位置するように傾斜させたことにある。を
【０００８】
本発明に係るシステムキッチンでは、シンクキャビネットの前側上部に下部が上部よりも後方に位置するように傾斜したシンク前板が配置されている。このため、シンクキャビネットの前側上部に収容空間が形成され、その空間を物品を収容するための空間として利用することができる。
【０００９】
本発明に係るシステムキッチンの他の構成上の特徴は、シンク前板の左右の長さが、一対の側板の内面間の長さよりも短くなっているとともに、一対の側板の前側上部に支持部材（２１）が取り付けられており、シンク前板が支持部材に左右方向に位置調節可能に取り付けられていることにある。
【００１０】
シンクは、一対の側板間の中央部分や、左右両端の一方に近い部分に設けられることがある。このような場合に、シンク前板の長さを一対の側板の内面間の長さ、すなわち一対の側板の間隔よりも短いシンク前板を用いることで、シンク前板を左右方向に位置調節可能に取り付けることができる。したがって、シンクがシンクキャビネットの側板間のどの位置にあっても、シンクをシンク前板の位置に合わせて設置して隠すことができる。また、シンク前板の左右方向の長さを長くして一対の側板間の全体に掛け渡した場合には、シンクの側方に形成される空間と、シンク前板の前方に形成される空間とが、シンク前板によって遮断されるが、シンク前板の左右方向の長さをシンクの左右方向の長さに合わせることで、シンクの側方に形成される空間と、シンク前板の前方に形成される空間とを連続した空間にすることができる。これによって、空間部のより有効な利用が可能になる。
【図面の簡単な説明】
【００１１】
【図１】本発明の一実施形態に係るシステムキッチンを示しており、（ａ）は平面図、（ｂ）は正面図である。
【図２】図１（ａ）の２−２断面図である。
【図３】シンクキャビネットから引出しを除いた状態を示した平面図である。
【図４】図３の４−４断面図である。
【図５】キャビネット本体にカウンターとシンク前板を取り付けた状態を示した正面図である。
【図６】シンク前板に幕板金具と連結金具を組付けた状態を示しており、（ａ）は正面図、（ｂ）は側面図である。
【図７】シンク前板と幕板金具と連結金具を分解した状態を示した斜視図である。
【図８】シンク前板と化粧板との間の空間部を示した断面図である。
【図９】化粧板の裏面の収容部に収納物を収納した状態を示した断面図である。
【発明を実施するための形態】
【００１２】
以下、本発明の一実施形態を図面を用いて説明する。図１（ａ），（ｂ）および図２は、同実施形態に係るシステムキッチンを示している。このシステムキッチンは、シンク１５を収容するシンクキャビネットＡを有する。シンクキャビネットＡは、システムキッチンの一部を構成し、加熱装置を備えたキャビネットや調理台を備えたキャビネット（ともに図示せず）と並んで設置されるものである。シンクキャビネットＡは、キャビネット本体１０（図４および図５参照）の上部に、シンク１５が取り付けられたカウンター１６を設置するとともに、キャビネット本体１０内に引出し１８，１９を出し入れ可能に設置し、シンク１５の前側にシンク前板２０を配置して構成されている。
【００１３】
図３および図４は、シンクキャビネットＡから引出し１８，１９を取り出した状態を示しており、図５は、キャビネット本体１０にカウンター１６とシンク前板２０を取り付けた状態を示している。キャビネット本体１０は、図５に示したように、左右に対向して配置された側板１１ａ，１１ｂと、側板１１ａ，１１ｂの後部に掛け渡された背板１２と、側板１１ａ，１１ｂの下部に掛け渡された底板１３からなっている。カウンター１６は、側板１１ａ，１１ｂおよび背板１２の上端部に設置されてキャビネット本体１０の上部を塞いでおり、左側部分を除いた部分に略四角形の取付用穴部１６ａが形成されている。取付用穴部１６ａの前端部と、カウンター１６の前端部との間の長さは、５１ｍｍ程度に設定されている。
【００１４】
シンク１５は、平面視が略四角形に形成された底面部１５ａと、底面部１５ａの周縁部から上方に延びた周壁部１５ｂとで構成されている。底面部１５ａは前部から後部にかけて緩やかに下り傾斜になった傾斜面に形成され、その下端部に排水口１５ｃが形成されている。また、周壁部１５ｂは、前後左右の各部分が、下方から上方に行くほど外側に広がるように傾斜した環状の壁部で構成されている。
【００１５】
このシンク１５は、上端内周部を取付用穴部１６ａに位置させ、フランジ部１５ｄをカウンター１６の下面に位置させて、固定部材１７（図８参照）によってカウンター１６に取り付けられており、カウンター１６をキャビネット本体１０に組み付けることにより、キャビネット本体１０内の上部に位置している。また、シンク１５の後方右部分には、高さがフランジ部１５ｄよりも少し低い水洗設置部１５ｆが設けられ、この水洗設置部１５ｆに２つの水栓（図示せず）が取り付けられている。
【００１６】
側板１１ａ，１１ｂの両内面における上下方向の中央よりも少し下方の部分と下部にはそれぞれ、左右に対向して前後方向に延びる一対のレール１４ａおよび一対のレール１４ｂが設けられている。一対のレール１４ａには、引出し１８が移動可能に設置され、一対のレール１４ｂには引出し１９が移動可能に設置されている。
【００１７】
引出し１８は、上面および前面が開放された箱状の収容部１８ａの前部に化粧板１８ｂを取付けて構成されている。収容部１８ａは、シンク１５の下方に位置しており、上端部がシンク１５の底面よりも下方に位置するものが収容される。化粧板１８ｂは、側板１１ａ，１１ｂに当接できるとともに、上端部が収容部１８ａの上端よりも上方に延びており、キャビネット本体１０の上部から略中央部分の前面開口部を塞いでいる。すなわち、化粧板１８ｂは、側板１１ａ、１１ｂに当接したとき、シンク前板２０を隠す。この引出し１８をキャビネット本体１０から出し入れすることにより、化粧板１８ｂは、キャビネット本体１０の上方部分の開口部を開閉する。また、化粧板１８ｂの裏面には、瓶などの縦長の物品を収容するための箱状の収容部１８ｃが設けられ、化粧板１８ｂの表面上部には左右に長い取っ手１８ｄが設けられている。
【００１８】
引出し１９は、引出し１８と同様、上面および前面が開放された箱状の収容部１９ａの前部に化粧板１９ｂを取付けて構成されているが、化粧板１９ｂは、上部と下部に分かれ下部が上部よりも後方に位置するように段違いに配置され、蹴込み部を形成している。そして、化粧板１９ｂの上部の下端部と下部の上端部との間には隙間が設けられており、この隙間の前に位置する上部の下部で取っ手１９ｃが構成されている。収容部１９ａ内の底面と収容部１８ｃの底面との間には比較的広いスペースが形成されており、引出し１９には、比較的高さが高い収納物も収容することができる。
【００１９】
シンク前板２０は、引出し１８を手前に引き出したときに、シンク１５を隠して前方から見えないようにするものであり、図６（ａ），（ｂ）および図７に示した幕板金具２１および一対の連結金具２３，２４を介して側板１１ａ，１１ｂの上部前端に組み付けられている。シンク前板２０は、樹脂の押出材からなる左右に長い化粧板からなっており、左右の長さはシンク１５の左右の長さよりも僅かに長く、高さはシンク１５の排水口１５ｃを除いた部分の高さと略同じになっている。すなわち、キャビネットを正面から見たときに、周壁部１５ｂの前壁部１５ｅと底面部１５ａを隠す。
【００２０】
このシンク前板２０は、上部よりも下部が後方に位置するように傾斜した平面部２０ａと、平面部２０ａの下端から屈曲して後方斜め下方に延びて下端部がさらに後方に位置する屈曲部２０ｂと、平面部２０ａの上端から屈曲して前方に水平に延びた被固定部２０ｃとで構成されている。平面部２０ａの前面には、左右に延びる複数の線条２０ｄが上下に一定間隔で形成されており、これによってシンク前板２０の前面は化粧面になっている。また、被固定部２０ｃの左右の端部近傍と中央部には、それぞれ上下に貫通する３つのねじ挿通穴２０ｅが等間隔で形成されている。
【００２１】
幕板金具２１は、アルミの押出材からなる左右に長いレール状部材からなっており、断面形状が略四角筒状に形成された幕板本体２１ａの下部に、凹部を下方に向けた溝状のスライド係合部２１ｂを設けた形状をしている。スライド係合部２１ｂの下端部で前後に対向する部分は互いに向かって突出しており、これによって凹部の開放部分の幅は凹部の奥側（上部）の幅よりも狭くなっている。このスライド係合部２１ｂには、板ナット２２がスライド可能に取り付けられている。
【００２２】
板ナット２２は四角形の板の中央に上下に貫通するねじ穴が形成されたもので、幕板金具２１の端部からスライド係合部２１ｂ内に挿入され、回転することなくスライド係合部２１ｂ内を移動できる。また、幕板金具２１の左右方向の長さは、側板１１ａ，１１ｂの間隔よりも僅かに短く、シンク前板２０の左右方向の長さよりも長くなっている。また、幕板本体２１ａの左右両端面の前側上部と後側下部には、それぞれねじ穴２１ｃが幕板本体２１ａの長手方向に沿って形成されている。
【００２３】
シンク前板２０は、被固定部２０ｃをスライド係合部２１ｂの下方に位置させ、ねじ２２ａのねじ部を下方からねじ挿通穴２０ｅに通し、板ナット２２のねじ穴に螺合させて幕板金具２１に組み付けられる。このとき、ねじ２２ａを板ナット２２に締め付けることでシンク前板２０は、幕板金具２１に固定される。また、ねじ２２ａと板ナット２２の締付けを緩めることで、板ナット２２とともに、シンク前板２０を左右に移動させることができる。このため、シンク前板２０は、幕板金具２１の任意の部分に固定することができる。なお、幕板金具２１で本発明に係る支持部材が構成される。
【００２４】
連結金具２３，２４は、幕板金具２１の左右の端部にそれぞれ取り付けられた状態で、側板１１ａ，１１ｂに固定されることにより、シンク前板２０と幕板金具２１をキャビネット本体１０に組み付ける部材であり、左右対称に形成されている。連結金具２３は、金属板を折り曲げて形成されており、上下方向に細長い側面部２３ａと、側面部２３ａの前端から屈曲して右方向に延びた上下方向に細長い前面部２３ｂと、側面部２３ａの後部上端から後方に延びた係合部２３ｃとで構成されている。側面部２３ａの上部には、幕板本体２１ａの左端面のねじ穴２１ｃと対向する２つのねじ挿通穴２３ｄが形成され、側面部２３ａの中央よりも少し上の部分と下部に、それぞれねじ挿通穴２３ｅが形成されている。係合部２３ｃは、側方から見た形状が、後方が開放された縦長のＣ形に形成されている。
【００２５】
連結金具２４は、側面部２４ａと、前面部２４ｂと、係合部２４ｃとで構成されており、側面部２４ａには、２つのねじ挿通穴２４ｄと、２つのねじ挿通穴２４ｅが形成されている。そして、連結金具２３は、２つのねじ２５をそれぞれねじ挿通穴２３ｄに通し、幕板金具２１の左側のねじ穴２１ｃに螺合させて幕板金具２１の左端面に固定され、連結金具２４は、２つのねじ２５をそれぞれねじ挿通穴２４ｄに通し、幕板金具２１の右側のねじ穴２１ｃに螺合させて幕板金具２１の右端面に固定されている。
【００２６】
このときの連結金具２３，２４の外側面間の長さは１０７０ｍｍ程度で、連結金具２３，２４の上下方向の長さは１６５ｍｍ程度になっている。また、係合部２３ｃ，２４ｃの前後方向の長さは３５ｍｍ程度になっている。シンク前板２０の平面部２０ａの傾斜角度は、垂直方向に対して７度になり、屈曲部２０ｂの下端部は、連結金具２３，２４の下端部よりも下方に位置している。そして、連結金具２３，２４の前側面を延長した仮想面と屈曲部２０ｂの下端部との間の前後方向の長さは５８ｍｍ程度になっている。
【００２７】
このようにして組み付けられたシンク前板２０、幕板金具２１および連結金具２３，２４は、一体となってキャビネット本体１０に取り付けられている。この取り付けに際しては、まず、側板１１ａ，１１ｂの両内面の前側上部にそれぞれ位置決め用のダボ２６（図８参照）を取り付ける。つぎに、連結金具２３，２４の係合部２３ｃ，２４ｃをダボ２６に係合させて、シンク前板２０等の組付体を側板１１ａ，１１ｂ間に配置する。そして、ねじ２５ａ（図５参照）を側面部２３ａ，２４ａの内面側からねじ挿通穴２３ｅ，２４ｅに通し、側板１１ａ，１１ｂの内面側に螺合させることでシンク前板２０等は、キャビネット本体１０に取り付けられる。
【００２８】
この状態では、図８に示したように、シンク前板２０の平面部２０ａは、シンク１５の周壁部１５ｂのうちの前壁部１５ｅの近傍で前壁部１５ｅを隠蔽する状態になり、屈曲部２０ｂは、前壁部１５ｅと底面部１５ａとの境界の曲面部分を前方から隠蔽する状態になっている。すなわち、シンク１５を有するカウンターが設置されたキャビネットＡを正面から見たとき、シンク１５の裏面（前壁部１５ｅおよび底面部１５ａ）をシンク前板２０で隠すようになっているので、シンク前板２０でシンク１５を見えなくすることができる。また、シンク前板２０と引出し１８の化粧板１８ｂとの間には空間部Ｓが形成されている。このため、図９に示したように、化粧板１８ｂの裏面に設けられた収容部１８ｃに縦長の収納物２７を収容することができる。
【００２９】
以上のように、本実施形態に係るシンクキャビネットＡでは、カウンター１６に取り付けられたシンク１５の前方に、表面に複数の線条２０ｄからなる化粧面が形成されたシンク前板２０が配置されている。このため、収納物２７などを取り出すために、引出し１８を引き出したときに、シンク１５はシンク前板２０に隠れて前方から見えなくなる。シンク１５は、外部から見える上面は美観が生じるように、所定の意匠などが施されているが、底面や外周面は、殆ど成形されたままの状態になっている。このため、シンク前板２０を配置したことにより、前方からシンク１５は見えず、美観が生じるシンク前板２０の化粧面だけが見えるようになり、これによって、シンクキャビネットＡの心地良い使用が可能になる。
【００３０】
また、シンク１５の前壁部１５ｅが上部から下部にいくほど後方に位置するように傾斜しており、その前方に、前壁部１５ｅに沿うように傾斜してシンク前板２０が配置されている。このため、シンク前板２０と引出し１８の化粧板１８ｂとの間には、空間部Ｓが形成され、その空間部Ｓを高さの高い収納物２７を収容するために利用することができる。このため、シンクキャビネットＡ内の空間を、収納物２７等の高さに応じて区分して使用することができ、これによって、シンクキャビネットＡ内の空間を有効に利用できる。
【００３１】
さらに、シンク前板２０は、スライド係合部２１ｂにスライド移動可能な板ナット２２およびねじ２２ａを介して幕板金具２１に固定されるため、ねじ２２ａを緩めることで、左右に位置調節が可能になっている。したがって、シンク１５が、カウンター１６の左右方向のどの位置に配置されていても、シンク１５をシンク前板２０で隠すことができる。また、シンク１５の側方の空間部と、シンク前板２０の前方の空間部Ｓとを連続した空間として利用することができる。
【００３２】
また、図示は省略するが前述したシンクキャビネットＡの変形例として、引出し１８は設けず、この空間を底面部を備えた収容部とし、化粧板１８ｂが位置する部分に、キャビネット本体の前部を開閉する扉を設けてもよい。この扉は左右の一方がキャビネット本体の側板に回転可能に取り付けられたものであってもよいし、２つに分割されて観音開きになったものでもよい。この場合も、扉の裏面に収容部を設けることで、前述したシンクキャビネットＡと同様の作用効果を得ることができる。
【００３３】
本発明に係るシステムキッチンは、前述した実施形態に限定するものでなく、適宜変更して実施することができる。例えば、前述した実施形態では、シンク前板２０が幕板金具２１に対して左右方向に位置調節可能に取り付けられているが、シンク前板２０の左右方向の長さを幕板金具２１の左右方向の長さに合わせて、そのまま固定してもよい。また、本発明に係るシステムキッチンのそれ以外の部分の構成についても本発明の技術的範囲内で適宜変更することができる。
【符号の説明】
【００３４】
１１ａ，１１ｂ…側板、１５…シンク、１５ｅ…前壁部、１６…カウンター、２０…シンク前板、２１…幕板金具、Ａ…シンクキャビネット。
【図１】
2018029757.tif 000003
【図２】
2018029757.tif 000004
【図３】
2018029757.tif 000005
【図４】
2018029757.tif 000006
【図５】
2018029757.tif 000007
【図６】
2018029757.tif 000008
【図７】
2018029757.tif 000009
【図８】
2018029757.tif 000010
【図９】
2018029757.tif 000011